(57)【要約】      （修正有）【課題】鋼管を躯体とするビニールハウスにおいて、任意の場所に、換気の為の窓を簡単に取り付けることが可能で、低コストで、風の影響を受けにくい堅牢なビニールハウス用換気装置を提供する。【解決手段】鋼管２を躯体としたビニールハウスにおいて、ビニールハウスの隣り合う平行な少なくとも２本以上の鋼管２上の任意の場所に取り付け可能な中央開口部を備えた窓枠部３と、窓枠部３を鋼管２に固定するための取付部６と、ビニールを窓枠部３の外部側面と上面に狭持固定する固定具と、窓枠部３を覆う窓部４と、窓部４と窓枠部３を接続する接続部５を備えた構成とした。また、窓枠部３の外部側面と上面に、ビニールの固定のための溝を設け、固定具により、ビニールを挟持固定する構造とした。【選択図】図２
2016032466.tif 000002
【特許請求の範囲】
【請求項１】
鋼管２を躯体としたビニールハウス１において、構成する少なくとも２本以上の平行な鋼管２上に取り付け可能であり、且つ中央開口部を備えた窓枠部３と、窓枠部３を鋼管２に固定するための取付部６と、ビニール８を窓枠部３の外部側面と上面に狭持固定する固定具７と、窓枠部３を覆う窓部４と、窓部４と窓枠部３を接続する接続部５と、を備えたことを特徴とするビニールハウス換気窓。
【請求項２】
前記窓枠部３の外部側面と上面の所定位置に溝部を設け、固定具７で挟持固定することを特徴とする、請求項１記載のビニールハウス換気窓。
【請求項３】
前記窓部４と窓枠部３を固定する接続部５を備えたことを特徴とする、請求項１記載のビニールハウス換気窓。
【発明の詳細な説明】
【技術分野】
【０００１】本発明は、鋼管を躯体としたビニールハウスに取り付けられ、ビニールハウス内を換気する換気扉に関する。
【背景技術】
【０００２】従来、鋼管を躯体としたビニールハウスの換気装置として、ビニールハウスの側面に設置し、ビニールを巻き上げて開閉する技術がある。ところが、側面を巻き上げる技術は、側面のビニールの開閉しかできないため、ビニールハウスの上部の空気は滞留したままとなるという問題がある。【０００３】そこで、天井部分を開閉するようにした技術（例えば、特許文献１参照）や、ビニール部分に直接換気窓を取り付けて開閉するようにした技術（例えば、特許文献２）や、ビニールハウスの躯体に換気窓を取り付けて開閉するようにした技術（例えば、特許文献３参照）等が提案されている。
【先行技術文献】
【特許文献】
【０００４】
【特許文献１】実開昭５６−１２９２５８号公報
【特許文献２】特許第３９５３４４０号公報
【特許文献３】特許公開２０１４−６４５５２
【発明の概要】
【発明が解決しようとする課題】
【０００５】しかしながら、上記特許文献１の天井部分を開閉するようにした技術は、ビニールハウス上部を解放するため、ビニールハウス内の換気は可能となるが、装置が大掛かりとなり、設備の導入コストが大きくなるという問題がある。【０００６】また、上記特許文献２のビニール部分に直接換気窓を取り付けて開閉するようにした技術は、ビニールハウスの上部に取り付けることで、ビニールハウス内の換気は可能となり、装置構造も大掛かりでなく、導入コストも小さくなるが、ビニール部分に直接取り付ける構造であるため、経年変化等により取り付け強度が低下するという欠陥が考えられる。【０００７】また、上記特許文献３のビニールハウスの躯体の間に換気窓を取り付けて開閉するようにした技術は、経年変化による強度低下の問題は解決できるが、隣り合う平行な２本の鋼管の間に取付ける構造のため、換気窓を大きくできないという問題があった。
【課題を解決するための手段】
【０００８】上記従来の課題を解決するため本発明は、鋼管を躯体としたビニールハウスにおいて、ビニールハウスの隣り合う平行な少なくとも２本以上の鋼管上の任意の場所に取り付け可能な中央開口部を備えた窓枠部と、窓枠部を鋼管に固定するための取付部と、ビニールを窓枠部の外部側面と上面に狭持固定する固定具と、窓枠部を覆う窓部と、窓部と窓枠部を接続する接続部を備えた構成とした。【０００９】また、窓枠部の外部側面と上面に、ビニールの固定のための溝を設け、固定具により、ビニールを挟持固定する構造とした。【００１０】また、窓枠部と窓部を接続する接続部は、防水のため、窓枠部の外部側面に穴を開けない形状とした。【００１１】そして、換気の為の窓開閉のため、窓部の内部面に窓開閉用の支柱を取り付けられる構造とした。
【発明の効果】
【００１２】本発明により、鋼管を躯体としたビニールハウスにおいて、ビニールハウスの隣り合う平行な少なくとも２本以上の鋼管の任意の場所に、換気の為の窓を簡単に取り付けることが可能となり、空気が滞留しやすい天井付近に取り付けることで、低コストで、風の影響を受けにくい堅牢なビニールハウス用換気装置を利用できる。また、窓枠部外部側面と上面に溝を設け、固定具を用いてビニールを外部側面の溝と上面の溝に挟持固定することによって、鋼管に張られたビニール表面の高さよりも窓枠部に挟持固定されたビニールの高さが窓枠部の厚みの分だけ高くなり、窓枠部と窓部を接続部で固定し、窓枠部と窓部で覆うことで、本発明装置からビニールハウス内部への雨水等の浸入を防ぐことができる。
【図面の簡単な説明】
【００１３】
【図１】本発明装置をビニールハウスに設置した状態を示す図である。
【図２】本発明装置の外観図である。
【図３】鋼管に窓枠部を取り付けた図である。
【図４】窓枠部にビニールを挟持固定した図である。
【図５】窓部の外観図である。
【図６】窓枠部と窓部の接続状態を示す説明図である。
【発明を実施するための形態】
【００１４】以下、添付図面に基づいて本発明装置の実施形態を説明する。
【実施例１】
【００１５】図１に、本発明装置を鋼管２を躯体としたビニールハウス１に設置した例を示す。本発明装置をビニールハウス１の天井近くに設置し、開閉支柱を操作して窓部４を開け、天井付近から換気を行う。これにより、天井付近の空気を外部に排出でき、空気滞留のない換気が可能になる。【００１６】図２に本発明装置の外観図を示す。本発明装置は、窓枠部３、窓部４、接続部５、取付部６で構成される。使用する部品は、樹脂またはアルミまたはステンレスなどの防錆効果の高い材料を使用する。【００１７】図３に、鋼管２に窓枠部３を取り付けた図を示す。ビニールハウス１の躯体である隣り合う平行な２本以上の鋼管２の任意の場所に窓枠部３を取付部６を用いてビニールハウス１の外側から取り付ける。窓枠部３の取り付け位置は、空気の滞留を防止するため、ビニールハウス１の天井付近で固定する。【００１８】図４に、窓枠部３にビニール８を挟持固定した図を示す。
ビニールハウス１の躯体に窓枠部３を固定した後、窓枠部３の外部側面の溝にビニール８の上から固定具７でビニール８を挟持固定する。次に窓枠部３の上面の溝にビニール８の上から固定具７でビニール８を挟持固定する。さらに窓枠部３の内側のビニール８をカッター等で切除し中央開口部を確保する。【００１９】図５に、窓部４を示す。窓部４には窓部４を開閉するための支柱を取り付ける中間軸９を取り付けた。【００２０】図６に、接続部５を用いて、窓枠部３と窓部４を接続した状態を示す。接続部５は窓枠部３の外部側面及び上面に張ったビニール８に穴を開けずに、窓枠部３の内側からネジで固定した。次に、接続部５に窓部４をネジを用いて蝶番１０で固定し、さらに、接続部５のコの字形状の部分を窓枠部３に取り付け、窓枠部３の内側からネジで固定した。【００２１】窓枠部３の外部側面と上面の溝に固定具７でビニール８を挟持固定することで、鋼管２に張ったビニール８の面より、窓枠部３に挟持固定されたビニール８の面が高くなることで防水壁を構成した。また、接続部５を使用して窓枠部３と窓部４を接続するため、窓枠部３の外部側面と上面のビニール８に穴を開けること無く接続できる構造とした。これらにより、本発明装置からビニールハウス１の内部への雨水等の侵入を防ぐことができた。【００２２】例えば、窓部４の開閉については、窓部４の中間軸９を支柱等で押し上げて開閉し、支柱の高さを固定することで窓部４の開閉角度を調整する方法がある。さらに、モータ等の駆動装置を使用した自動開閉も可能である。
【産業上の利用可能性】
【００２３】本発明装置は鋼管を躯体としたビニールハウスにおいて、ビニールハウスの隣り合う平行な少なくとも２本以上の鋼管の上の任意の場所に取り付け可能であることから、ビニールハウス全体の換気が可能となる。さらに、鋼管を使用した畜舎や車庫等にも従来の天窓にかえて利用可能である。
【符号の説明】
【００２４】  １    ビニールハウス
２    鋼管
３    窓枠部
４    窓部
５    接続部
６    取付部
７    固定具
８    ビニール
９    中間軸
１０    蝶番
【図１】
2016032466.tif 000003
【図２】
2016032466.tif 000004
【図３】
2016032466.tif 000005
【図４】
2016032466.tif 000006
【図５】
2016032466.tif 000007
【図６】
2016032466.tif 000008